(57)【要約】  骨折、靭帯破裂、脱臼などのような損傷した患部が動かないように覆うのに用いられるギプス部材において、足固定部材と、連結部材と、ヒザ固定部材とを含み、前記足固定部材は、足の裏から足首（足根骨）までの足部を覆うために２個が一組を成すように形成され、前記連結部材は足首からヒザの下部まで覆うように２個が一組を成すように形成され、前記ヒザ固定部材はヒザから大腿骨の中間部位まで固定できるように形成され、前記足固定部材、連結部材、ヒザ固定部材はそれぞれボルトによって締結されることにより、それぞれ独立体として、または連結体として使用できるように構成される。
2005512730.tif 000002
【特許請求の範囲】
【請求項１】
骨折、靭帯破裂、脱臼などのような損傷した患部が動かないように覆うのに用いられるギプス部材において、
足固定部材と、
連結部材と、
ヒザ固定部材とを含み、
前記足固定部材は、足の裏（中足骨）から足首の上部（足根骨）までの足部を覆うために２個が一組を成すように形成され、
前記連結部材は、足首からヒザの下部まで覆うように２個が一組を成すように形成され、
前記ヒザ固定部材は、ヒザから大腿骨の中間部位まで固定できるように形成され、前記足固定部材、連結部材、ヒザ固定部材はそれぞれボルトで締結されることによってそれぞれ独立体として、または連結体として使用できることを特徴とする骨折固定のための添え木兼用のギプス部材。
【請求項２】
前記足固定部材と連結部材とヒザ固定部材とは、射出成形されることを特徴とする請求項１記載の骨折固定のための添え木兼用のギプス部材。
【請求項３】
前記足固定部材は、
内部に足の裏が置かれる垂直壁面と、
足の踵が置かれる水平壁面とを有する下部足固定部材が折り曲げられて足を覆うように形成され、下部足固定部材の内部には足をやんわりと覆う緩衝材が形成され、前記水平壁面の前面の内部に連結部材が挿入されてボルトで固定されるように内周縁に多数のボルト孔が形成され、前記垂直壁面と水平壁面との一側両端に多数の孔が形成され、前記孔の一側を基準にして、ベルクロテープの一端が固定され、他端は前記垂直壁面の上部に足の甲を覆うように形成された上部足固定部材に固定されて上下部足固定部材の密着状態を調節できるようにしたことを特徴とする請求項１記載の骨折固定のための添え木兼用のギプス部材。
【請求項４】
前記足固定部材のうち、上部足固定部材は、足をギプスするときに下部足固定部材と共に使用することで、足の甲に密着するようなラウンド面を有し、内部に足の甲をやんわりと覆う緩衝材が形成され、内側面に多数の通気孔が形成されて空気が循環するようにし、前記上部足固定部材の中央の両側面に孔を形成して前記下部固定部材に固定されたベルクロテープの一端と結合させて使用することを特徴とする請求項１または請求項３記載の骨折固定のための添え木兼用のギプス部材。
【請求項５】
前記連結部材は、足首からヒザの下部まで低面から覆うように形成され、内部に緩衝材を有し、前後面の内周縁に多数個のボルト孔が等間隔で長さ調節可能に形成され、前記足固定部材の一端とボルトで結合し、内側面の長さ方向に多数の通気孔が対向するように形成される、下部連結部材の前後面の上部両側に多数の穴を形成し、いずれか一つの穴を基準にしてベルクロテープの一端が固定され、他端は下部連結部材の上部に結合する上部連結部材に形成された孔に挿入されて脛骨と腓骨部分を堅固に覆うように形成されたことを特徴とする請求項１記載の骨折固定のための添え木兼用のギプス部材。
【請求項６】
前記連結部材のうち、上部連結部材は、脛骨と腓骨の上部部分を覆うようにその内部に緩衝材を有し、内側の長さ方向に対向するように多数の通気孔を形成して外部の空気が円滑に循環できるようにし、前記上部連結部材の下部前後面の両側に孔を形成して前記下部連結部材に固定されたベルクロテープの多端が結合されるようにしたことを特徴とする請求項１または請求項５記載の骨折固定のための添え木兼用のギプス部材。
【請求項７】
前記ヒザ固定部材は、ヒザの低面に位置してヒザを固定できるようにその内部に緩衝材を形成し、前面の内周縁に多数のボルト孔が形成されて連結部材の後面とボルトで固定され、前後面の上部の両側に多数の孔が形成され、一側にはベルクロテープが固定され、他側は対向する孔と結合してヒザを堅くに固定するようにしたことを特徴とする請求項１記載の骨折固定のための添え木兼用のギプス部材。
【発明の詳細な説明】
【技術分野】
【０００１】
本発明は、骨折、靭帯破裂、脱臼などのような損傷した患部が動かないように覆うのに用いられる添え木兼用のギプス部材に係り、より詳細には、損傷した患部のむくみが治まるように一定期間の間に用いる添え木とギプス部材とを一体化して使用できるように射出成形するが、足固定部材と連結部材とヒザ固定部材とをそれぞれ備えて短下肢添え木、ＰＴＢ添え木、長下肢添え木によってそれぞれの部材を独立体として、または連結体として使用することができるようにすることで、既存の石膏ギプス部材における作業過程の煩わしさを解消すると共に、ギプス期間中に早期関節運動が可能となり、関節拘縮などの後遺症を最小化し、中間点検を通じて初期の不完全なマニピュレイションなどと固定異常を随時に矯正できるようにした、骨折固定のための添え木兼用のギプス部材に関する。
【背景技術】
【０００２】
一般に、整形外科用添え木は、骨が骨折したり、ひび割れた場合、および靭帯の伸長と破裂のときに、怪我した関節と筋肉組職との支持および固定のために部分的に、または全体的に堅く巻いて動かないようにして保護するのに用いられる。
【０００３】
かかる添え木に用いられるそれぞれの材料は、折れ曲がった損傷部位の形状に応じて 成形し易くするために柔軟性が要され、成形するための凝固時間や作業時間が適切で、取り扱い易くなければならず、硬化後にはその構造的強度を保持できるような機械的強度が充分に大きくなければならない。このような要件を取り揃えた添え木材料として、一般に頻用される方法は、石膏材料が塗布された包帯に怪我の部位を巻く方法を多く使用している。石膏包帯は、硬化の前に柔軟性が優れていて折れ曲がった損傷部位の形状を容易に成形でき、凝固時間や作業時間が適切で、機械的強度が高いので、添え木材料として長い間広く使用されて来た。
【０００４】
しかし、このような石膏包帯は、十分な厚さで患部を巻かなければならないため、包帯を巻くのに相当時間がかかる。このような問題点を補うために、近年、石膏包帯、ガラス繊維、または合成纎維の編織物に湿気硬化型１液形ポリウレタン樹脂を塗布し、これを多重にして作り、使用時間を減らす添え木も使用されているが、このように構成された添え木は、ヒザ、膝、かかとなどの人体の折れ曲がった部位を覆う場合、添え木が付着されるはずの患部の角度に合わせて折り曲げて用いるようになるので、折り曲げ部位にしわ部が発生するようなことが避けられず、長方形の長い直線状になされているので、怪我の部位の折れ曲がった形状、例えば足首および腕の太さ、足首およびふくらはぎの太さの差によって緻密に覆う成形性が落ちてしまう。こうなると、怪我の部位から添え木が浮き立つようになって怪我の部位を密着支持できなくなり、骨折部の治療に好ましくない影響を及ぼすという短所がある。
【０００５】
また、このような石膏包帯を用いた固定術は、作業工程が煩わしく患部の周りを全体的に覆うので、ギプス部位のかびや細菌感染などの副作用があると共に、ギプスを取り外すときは、鋸などでギプスを切り出す過程において粉塵が飛ばされるという問題点もある。
【０００６】
近来、かかる短所を補うために、従来技術文献の「骨折患者用ギプス部材」と、別の従来技術文献の「添え木構造」のように、熱可塑性樹脂を薄板材の形状に成形し、スポンジの内皮を接着したものが開発されて使用されているが、これは、施術時に添え木の本体を患部に密着させるために添え木をオーブンに入れ、約９０℃で軟質化させ、患部に当てて患部の屈曲面に沿って足で押圧して密着させる成形作業を行うようになるが、このような成形過程において、熱によって軟質化された熱可塑性樹脂の添え木が冷えてしまうので一度で完全に患部に密着させることができず、普通の場合、添え木を一回以上オーブンに入れて軟質化させる作業を繰り返すようになり、成形が完了した後は、約２０分程度の完全冷却時間を持たなければならないという施術上の煩わしさと共に、多くの時間が要されるなど、実用性が良くないという欠陷がある（例えば、特許文献１及び２参照）。
【特許文献１】韓国実用新案公開第１９９５-１３３４３号明細書
【特許文献２】韓国特許公開第２００１-００１６５６３号明細書
【０００７】
そして、足を固定するために用いる短下肢添え木（short leg splint）と、足からヒザの下部まで固定するために使用されるＰＴＢ添え木と、足から大腿骨の中間部位まで固定する長下肢添え木（long leg splint）とをそれぞれ施術するためには、まず、怪我の部位のむくみを治めるために一定期間の間添え木を用いた後、ギプス作業をするようになるが、このとき、近年のギプス部材は添え木をするための作業とギプスをするための作業とがそれぞれ別途に行われるので、添え木材料とギプス材料とを異なるように適用して使用しなければならないという煩わしさがあった。
【０００８】
また、怪我の部位にギプス作業をするようになれば、ギプス期間中に早期関節運動や中間点検を通じて不完全マニピュレイションなどと調整異常を施術した後は、確認しにくい欠点もあった。
【発明の開示】
【発明が解決しようとする課題】
【０００９】
本発明は、このような従来の問題点に鑑みてなされたものであって、その目的は、人体の寸法によってサイズの多様な足固定部材と連結部材とヒザ固定部材とをそれぞれ射出成形し、短下肢添え木、ＰＴＢ添え木、長下肢添え木によってそれぞれの部材を独立体として、または連結体として使用できるようにし、骨折部位を迅速で容易に固定できると共に、添え木固定術とギプス固定術とを一体化して既存の石膏ギプスの中間過程が省いてギプス作業時間を短縮すると共に、ギプス作業による費用を節減できるような骨折固定のための添え木兼用のギプス部材を提供することである。
【００１０】
本発明の他の目的は、ギプス作業過程において施術者と補助者の技術習得による偏差を取り除いて正確な固定效果を達成でき、既存のギプス部位の全体を巻くことで生じるギプス部位のかびや細菌感染などの副作用を予め防止できるように、それぞれの部材に外部の空気が患部に円滑に循環されるように多数の通気孔を備えた、骨折固定のための添え木兼用のギプス部材を提供することである。
【００１１】
本発明の更に他の目的は、ギプス期間中に早期リハビリ運動を可能にすることで、早期関節運動や関節拘縮などの後遺症を最小化し、より早めに治癒可能にすると共に中間点検を通じて初期の不完全なマニピュレイションなどと固定異常を随時に矯正して正確な結合（Union）が得られ、それぞれのギプス部材が軽い合成樹脂でなっっていて患者が移動するときに不便を感じることがないようにした、骨折固定のための添え木兼用のギプス部材を提供することである。
【００１２】
本発明の更に他の目的は、放射線透過用素材を使用することで、ギプスの着用したままに放射線検査の可能であり、開放脹を伴った開放骨折、観血的マニピュレイションを施された患者においても治療を並行して施術できるようにした、骨折固定のための添え木兼用のギプス部材を提供することである。
【課題を解決するための手段】
【００１３】
かかる本発明は、骨折、靭帯破裂、脱臼などのような損傷した患部が動かないように覆うのに用いられるギプス部材において、
足固定部材と、
連結部材と、
ヒザ固定部材と、
を含み、
前記足固定部材は、足の裏から足首（足根骨）までの足部を覆うために２個が一組を成すように形成され、前記連結部材は足首からヒザの下部まで覆うように２個が一組を成すように形成され、前記ヒザ固定部材はヒザから大腿骨の中間部位まで固定できるように形成され、前記足固定部材、連結部材、ヒザ固定部材はそれぞれボルトによって締結されることにより、それぞれ独立体として、または連結体として使用できるように構成されたことを技術的な特徴とする。
【発明の効果】
【００１４】
本発明は、骨折、靭帯破裂、脱臼などのような損傷した患部が動かないように覆うのに用いられるギプス部材に係り、標準化された人体寸法の研究結果を基準にしてサイズの多様な足首固定部材と連結部材とヒザ固定部材とをそれぞれ射出成形し、ギプス部材を患者の怪我の状態に応じて独立体として、または連結体として使用し、ギプス作業時間を短縮する共に、ギプス作業による費用を節減できるような效果を奏する。
【００１５】
本発明は、ギプス作業過程において、足術者と補助者の技術習得による偏差を無くして正確な固定效果が得られ、それぞれのギプス部材は分離が可能であり、多数の通気孔が形成されていて既存の石膏包帯によって発生するかびや細菌感染などの副作用を予め防止できるという效果を奏する。
【００１６】
本発明は、それぞれのギプス部材が軽い合成樹脂でなっていて、患者が移動するときの不便さを減らしたものである。
【００１７】
本発明では、添え木固定術とギプス作業とを一体化して使用できるようにすると共に、ギプス作業を体系的に適用してギプス中の中間状態であっても傷の中間チェックを可能にし、骨の接合をより高めることができる効果を奏する。
【００１８】
本発明により、手術患者の場合、手術後にも仮添え木状態を維持でき、度々に患部のチェックが可能となると共に、早期リハビリ運動で早期治療の可能な效果を奏する。
【発明を実施するための最良の形態】
【００１９】
以下、本発明の好ましい実施例を添付した図面に基づいて詳しく説明すれば、次のとおりである。
【００２０】
添付した図１は人体の骨の構造を示す正面図であり、図２は本発明のギプス部材の分離状態を示す斜視図である。これらの図に示すように、前記ギプス部材は、下肢骨折（fracture of the lower extremity）時に使用されるもので、これらの下肢骨は、体重を支えているので、骨折が発生すると、患者は歩けなくなったり、松葉杖や杖などを用いて歩かなければならない。骨折した骨のい固定を整復方法を選択して、施術しなければならないが、このとき、部位別に用いられるギプス部材は、足の中足骨の足趾関節（ＭＰ joint）から足の踵の上部部分（足根骨）まで固定するために、上下部足固定部材２０、１１でなる足固定部材１０と、足固定部材１０に一端が繋がれて足首の上部でヒザの下部まで固定するための連結部材３０と、連結部材３０の一端に固定されて大腿骨の中間部位まで固定するためのヒザ固定部材５０とで構成され、それぞれ独立体として、または連結体として使用可能となるように構成される。
【００２１】
足固定部材１０は、主に短下肢添え木を施すときに用いるものであり、足根骨、中足骨の骨折時に用いられる。
【００２２】
重い物体が足に落ちたときに、最もよく骨折する骨として、図１に示すように、足根骨は、足首と踵（中骨）とを成す７個の不規則な足首の骨をいい、中足骨は、足根骨の一端、すなわち、足の甲にある５個骨をいう。このように、足根骨と中足骨が損傷した場合は、まず、このとき、患者の身体（足）サイズと同じ足固定部材１０を選択した後、添え木固定術を行えば良い。
【００２３】
前記足固定部材１０は、足の裏（中足骨）から足首の上部（足根骨）まで覆うために、２個が一組を成すように上部足固定部２０と下部足固定部材１１とを形成するが、このとき、それぞれの部材を射出成形して標準化された人体寸法の研究結果を基準として足のサイズ別にサイズの異なる部材を備えて使用する。
【００２４】
下部足固定部材１１は、図３および図４に示すように、まず内部に足の裏が置かれる垂直壁面１２と、足の踵および足首が置かれる水平壁面１３とが一体になって折り曲げられるように形成され、下部足固定部材１１の内部には足をやんわりと覆うスポンジでなる緩衝材１４が接着される。
【００２５】
前記水平壁面１３の前面の内部には、以後に説明される連結部材３０の一端が挿入されてボルトＢで固定されるように、内周縁に多数のボルト孔１５が形成され、前記垂直壁面１２と水平壁面１３との一側の両端、すなわち足が挿入される両側面には足を固定するための穴１６、１６ａ、１７、１７ａがそれぞれ形成され、前記穴１６、１７の一側を基準として、ベルクロテープ１８一端が固定され、他端は前記垂直壁面１２の上部に位置して足の甲（中足骨）を覆うように形成された上部足固定部材２０の穴２０に固定されて上下部足固定部材２０、１１の密着状態を調節できるようにする。
【００２６】
そして、下部足固定部材１１は、水平壁面１３に固定される連結部材３０は様々な方法を用いて固定可能なものであって、一例として、瞬間接着材などを用いて固定作業を行うこともできる。
【００２７】
図４に示すように、上部足固定部材２０は、足をギプスするときに下部足固定部材１１と共に使用するものであって、足の甲（中足骨）に密着されるようにラウンド面２１を有し、内部に足をやんわりと覆うように緩衝材２２が形成され、内側面には多数個の通気孔２３が形成され、通気孔２３を介して外部の空気が足と接触し、かびや細菌感染などを防止できるようにする。
【００２８】
そして、上部足固定部材２０の中央の両側面にはベルクロテープ１８の他端が挿入され、下部足固定部材１１と結合するように穴２３が形成される。前記上部足固定部材２０と下部足固定部材１１とを密着させるための方法としては、ベルクロテープ１８の他端が上部足固定部材２０の穴２４を貫通して下部足固定部材１１の対向する穴１６ａに挿入されて固定させる方法と、前記ベルクロテープ１８を下部足固定部材１１の両側に２個を備えて固定させる方法がある。ここで、前記ベルクロテープ１８は、接着される接着部１８ａをベルクロテープ１８の外側の中央部分から末端まで全体として形成し、ベルクロテープ１８の末端が図３および図４に示すように付着されて上下部固定部材２０、１１を結合して使用する。
【００２９】
連結部材３０は、主に、ＰＴＢ添え木（patella tendon bearing）のときに使用されるもので、脛骨体（Tibia Shaft）の骨折時に固定および膝関節の早期運動のために使用する。
【００３０】
腓骨と脛骨体の骨折は、すべての年齢層で発生するありふれた骨折であり、直接的な外力や関節的な外力が作用するときに発生する。直接的な外力によったり皮膚表面に近い脛骨の骨折片が皮膚を貫通して露出するような開放性骨折になる場合が多く、直接的な外力による場合は交通事故が最も多い。
【００３１】
前記連結部材３０は、図５および図６に示すように、足首（足根骨）から膝の下部までを覆うように２個が一組に成しながら上部連結部材４０と下部連結部材３１とが同じ構造を有しており、連結部材３０は人体構造と同じ形状を成しながら標準化された人体寸法の研究結果を基準に射出成形される。
【００３２】
連結部材３０は、足首（足根骨）からふくらはぎ部分を経てヒザの下部（膝関節の前部）までにかけて、腓骨と脛骨とを全体的に覆うように形成される。まず、下部連結部材３１は足首からヒザの下部まで低面から覆うように形成され、その内部に緩衝材３２を有する。
【００３３】
下部連結部材３１は、前後面の内周縁に多数個のボルト孔３３が等間隔で長さ調節可能に形成され、前記下部足固定部材１１の前面の内部に挿入されてボルトＢで締結固定され、ふくらはぎの置かれる部位、すなわち、下部連結部材３１の内側面の長さ方向に多数の通気孔３４を対向するように形成されて外部空気が円滑に循環されるようになり、かびや細菌感染などを防止し、下部連結部材３１の前後面の上部の両側に穴３５を形成していずれか一側の穴３５を基準にしてベルクロテープ３６の一端を固定し、他端は下部連結部材３１の上部に結合される上部連結部材４０に形成された穴４３に挿入され、脛骨と腓骨部分を堅固に覆うように形成される。
【００３４】
前記上部連結部材４０は、脛骨と腓骨の上部を覆うように内部に緩衝材４１を備えており、内側の長さ方向に対向するように多数の通気孔４２を形成して外部の空気が円滑に循環するようにして、既存の石膏包帯によって発生するかびや細菌感染などを予め防止することができる。
【００３５】
そして、上部連結部材４０の下部前後面の両側に下部連結部材３１の穴３５と対応するように多数の穴４３を両側に形成して前記下部連結部材３１の一側面に固定されたベルクロテープ３６の他端が、上部連結部材４０の両側穴４３を貫通してベルクロテープ３６が上部連結部材４０の外周縁を覆いながら下部連結部材３１の穴３５ａに嵌め込まれた後、ベルクロテープ３６の外側に形成された接着部３６ａにベルクロテープ３６の末端を付着させ、上下部連結部材４０、３１を堅固に密着させる。
【００３６】
ここで、ベルクロテープ３６は上記のような方法で使用するか、または下部連結部材３１の前後面の両側にベルクロテープ３６の４個を備え、それぞれ別途に固定させて使用しても良い。
【００３７】
ヒザ固定部材４０は、ヒザの前部から上腕骨の中間部分まで固定することで、連結部材３０の一端と結合してヒザ部分を堅固に固定するものであって、長下肢添え木（long arm splint）に用いられる。
【００３８】
また、連結部材３０に用いられるベルクロテープ３６の場合、他の固定材料（腰帯、紐など）を用いても良い。
【００３９】
ヒザ固定部材４０は、脛骨および腓骨の骨折時に固定し、連結部材３０の一端と結合して大腿骨の中間部位まで固定するものであり、長下肢添え木とも言う。
【００４０】
ヒザ（膝関節）の骨折には、脛骨との骨折、膝蓋骨の骨折、大腿骨の骨折が含まれる。脛骨の損傷は、通常、外傷との骨折が多く、複合圧迫骨折や陥没骨折がその大部分を占めている。
【００４１】
膝蓋骨の骨折は、ヒザに直接的な外力が作用して発生するか、大腿四頭筋がいきなり収縮するときに発生する。外力による場合、ひびが割れたり複合骨折となる場合が多い。
【００４２】
前記ヒザ固定部材５０は、図７に示すように、ヒザから大腿骨の中間部位までヒザを固定できるように内部に緩衝材５１を形成し、前面の内周縁に多数のボルト孔５２が形成されて連結部材３０の後面とボルトＢで締結され、前後面の上部の両側には、多数の穴５３を形成し、一側にはベルクロテープ５４を個性させ、他側は対向する穴５３ａにベルクロテープ５４に嵌め込んだ後、長さを調節してから固定されているベルクロテープ５４の接着面５４ａにベルクロテープ５４の末端を付着すれば良い。
【００４３】
前記足固定部材１０と連結部材３０とヒザ固定部材５０とは、それぞれボルトＢによって締結固定されることにより、それぞれ独立体として、または連結体として使用可能である。
【００４４】
このような構成でなる本発明の使用状態の過程を添付した図２および図７に基づいて説明する。まず、合成樹脂に射出されたそれぞれの部材は、標準化された人体寸法の研究結果を基準にして、それぞれの身体サイズ別に足固定部材１０と連結部材３０とヒザ固定部材５０とを備え、患者の身体条件に合わせて使用するものであって、本発明は、添え木およびギプスの過程を一体化されていることで、別途の添え木固定のための材料は不要である。
【００４５】
短下肢添え木の場合、足根骨および中足骨の骨折時に、まず、足固定部材１０に付着された緩衝材１４に足を置いた後、足が遊動しないように緩衝材１４と足との間に綿包帯（図示せず）を充填する。次いで、中足骨（足の甲）と足根骨（足首）にベルクロテープ１８、１９を用いて足固定部材１０を固定すれば良い。このとき、一定期間が過ぎた後、足のむくみがある程度治まれば中足骨の状態によって上部足固定部材２０お足の甲に位置させてから下部足固定部材１１をベルクロテープ１８で固定させれば、ギプス過程が簡便に処理される。
【００４６】
ＰＴＢ添え木は、足固定部材１０と連結部材３０とを共に使用するものであって、まず、足を下部足固定部材１１に前述した方法で足を位置させた後、患者の身体サイズに合わせるように下部足固定部材１１のボルト孔１５に下部連結部材３１の長さを調節し、ボルトＢで締結する。そして、前述した方法のように、下部連結部材３１の内部に遊動がある場合は、綿包帯を使用して遊動がないようにした後、ベルクロテープ３５を巻いて下部連結部材３１を固定させる。
【００４７】
一定期間が過ぎてからある程度むくみが治まれば、患者の状態に応じて上部足固定部材２０と上部連結部材４０とをそれぞれ結合してギプス作業を施せば良い。
【００４８】
長下肢添え木は、足固定部材１０と連結部材３０とヒザ固定部材５０とを共に使用するものであって、まず、前述した方法で足固定部材１０と連結部材３０とを連結し、連結部材３０にヒザ固定部材５０の長さを調節した後、ボルトＢで締結すれば良い。そして、ベルクロテープ５４を使用してヒザと大腿骨にベルクロテープ５４を巻いて固定させれば、一連のギプス作業が完了する。このとき、ヒザ固定部材５０において、ヒザが位置する部分の角度を５°に維持して成形することが好ましい。
【００４９】
以上のように、本発明の各ギプス部材は一定した強度を有する材料を選択することで射出成形が可能であり、人体部位のサイズ別にギプス部材を備えてギプス作業を体系的に行うことができるようにすると共に、ギプス部材の重さが軽いので、患者の移動時に不便さを感じられないようにした。
【図面の簡単な説明】
【００５０】
【図１】人体の骨の構造を示す正面図である。
【図２】本発明の全体構造を示す分離状態を示す斜視図である。
【図３】本発明の下部足固定部材の使用状態を示す斜視図である。
【図４】本発明の足固定部材の全体的な使用状態の示す斜視図である。
【図５】本発明の下部連結部材の使用状態の示す斜視図である。
【図６】本発明の連結部材の全体的な使用状態を示す斜視図である。
【図７】本発明のヒザ固定部材の使用状態を示す斜視図である。
【符号の説明】
【００５１】
１０  足固定部材
１１  上部足固定部材
２０  下部足固定部材
３０  連結部材
３１  下部連結部材
４０  上部連結部材
５０  ヒザ固定部材
【図１】
2005512730.tif 000003
【図２】
2005512730.tif 000004
【図３】
2005512730.tif 000005
【図４】
2005512730.tif 000006
【図５】
2005512730.tif 000007
【図６】
2005512730.tif 000008
【図７】
2005512730.tif 000009
【国際調査報告】
2005512730.tif 000010
2005512730.tif 000011